(57)【要約】【課題】シールドケース本体に切り起こし穴が生じなくなり、誤嵌合防止部の有無に関わらずシールドケース本体を共通の金型で製作できるシールドケースを提供する。【解決手段】シールドケース１１は、プラグ嵌合空間２５を区画形成するシールドケース本体４３と、シールドケース本体４３と別体で形成され回路基板に向かって突出する基板接続部５７を備えてシールドケース本体４３に係合固定される係合支持部材４５と、を備える。【選択図】図１
2013025955.tif 000002
【特許請求の範囲】
【請求項１】
プラグ嵌合空間を区画形成するシールドケース本体と、
前記シールドケース本体と別体で形成され回路基板に向かって突出する基板接続部を備えて前記シールドケース本体に係合固定される係合支持部材と、
を備えることを特徴とするシールドケース。
【請求項２】
請求項１記載のシールドケースであって、
前記係合支持部材は、前記シールドケース本体を貫通して前記プラグ嵌合空間に突出する誤嵌合防止部を備えることを特徴とするシールドケース。
【発明の詳細な説明】
【技術分野】
【０００１】
本発明は、シールドケースに関する。
【背景技術】
【０００２】
電子機器、例えば携帯用電話において外部のケーブルなどを接続するために使用されるレセプタクルコネクタでは、ＥＭＩ（電磁妨害雑音）対策として、端子が組み込まれたハウジングの全周を導電性のシールドケースで覆って静電シールドする構成を採用している。このようなシールドケースを有するレセプタクルコネクタには、相手側コネクタとの誤嵌合防止機構を備えたものが知られている（特許文献１参照）。図７に示すコネクタ５０１は、ハウジング５０３、ハウジング５０３に設けられた端子５０５、及び端子５０５を組み込んだハウジング５０３の全周を覆うシールドケース５０７から構成される。シールドケース５０７は、シールドケース本体５０９及びプレート５１１から構成される。プレート５１１には、図示しない相手側コネクタとの誤嵌合を防止するための誤嵌合防止部５１３が設けられている。この誤嵌合防止部５１３は、相手側コネクタに設けられたキー（凸部）を受け入れる切欠きである。
【０００３】
また、ＨＤＭＩ（High-Definition Multimedia Interface）等に用いられるレセプタクルコネクタには、基板接続部をシールドケースに設けるものがある（特許文献２参照）。図８に示すこのシールドケース５１７は、導電性を有する金属板がプレス成型されたものである。このシールドケース５１７は、ベース部５１９と、一対の折り返し部５２１と、一対の側壁部５２３と、二対の基板接続部５２５と、一対の保持部５２７とを有している。基板接続部５２５は、図示しない回路基板の係止孔に挿入され、半田付けされる部位である。係止孔はスルーホールであって、回路基板のグランド層に接続されている。
【先行技術文献】
【特許文献】
【０００４】
【特許文献１】特開平１１−１８５８８３号公報
【特許文献２】特開２０１１−４０２２５号公報
【発明の概要】
【発明が解決しようとする課題】
【０００５】
しかしながら、図７に示したシールドケース５０７では、シールドケース本体５０９の基板接続部５１５を回路基板に半田接続する際、基板接続部５１５を切り起こした孔５２９から半田やフラックスがプラグ嵌合空間に入り込む可能性がある。このため、相手側コネクタの挿入を妨害したり、接触不良を起こしたりするおそれがある。
また、例えばデジタルカメラのレセプタクルコネクタにおいては、隣接しているマルチＵＳＢと誤嵌合する可能性があるため、それを防止する構造を付与する必要がある。一方、携帯電話のレセプタクルコネクタにおいては、マルチＵＳＢと誤嵌合するような状況が発生しないため、誤嵌合防止構造を設ける必要が無くなる。このような誤嵌合防止構造が必要なものと必要無いものとが混在する場合、図８に示したシールドケース５１７は、誤嵌合防止構造を備えたシールドケース５１７と、誤嵌合防止構造を備えないシールドケース５１７とを別々に製作しなければならない。このため、複数の金型が必要となる問題があった。
【０００６】
本発明は上記状況に鑑みてなされたもので、その目的は、シールドケース本体に切り起こし穴が生じなくなり、誤嵌合防止部の有無に関わらずシールドケース本体を共通の金型で製作できるシールドケースを提供することにある。
【課題を解決するための手段】
【０００７】
本発明に係る上記目的は、下記構成により達成される。
（１）  プラグ嵌合空間を区画形成するシールドケース本体と、前記シールドケース本体と別体で形成され回路基板に向かって突出する基板接続部を備えて前記シールドケース本体に係合固定される係合支持部材と、を備えることを特徴とするシールドケース。
【０００８】
上記（１）のシールドケースによれば、基板接続部が、シールドケース本体と別体の係合支持部材に設けられ、シールドケース本体に切り起こし孔が生じない。ＳＭＴ（Surface Mounting Technology）やスルーホールＤＩＰなどへのバリエーションには係合支持部材によって容易な対応が可能となり、シールドケース本体は共通の金型で製作できる。
【０００９】
（２）  上記（１）のシールドケースであって、前記係合支持部材は、前記シールドケース本体を貫通して前記プラグ嵌合空間に突出する誤嵌合防止部を備えることを特徴とするシールドケース。
【００１０】
上記（２）のシールドケースによれば、誤嵌合防止部の有無に関わらず、シールドケース本体を共通の金型で製作できる。誤嵌合防止部を備えた係合支持部材と、誤嵌合防止部を備えない係合支持部材とを用意することで、誤嵌合防止部の有無のバリエーションに対応し易くなる。
【発明の効果】
【００１１】
本発明に係るシールドケースによれば、シールドケース本体に切り起こし穴が生じなくなり、誤嵌合防止部の有無に関わらずシールドケース本体を共通の金型で製作できる。
【００１２】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１３】
【図１】本発明に係るシールドケースを備えるレセプタクルコネクタの分解斜視図である。
【図２】図１に示したシールドケース本体の外観斜視図である。
【図３】図１に示したレセプタクルコネクタを下方より見た斜視図である。
【図４】シールドケース本体に係合支持部材を係合する係合部の断面図である。
【図５】変形例に係る基板接続部を備えた係合支持部材の斜視図である。
【図６】（ａ）は誤嵌合防止部を備えたシールドケースの斜視図、（ｂ）は誤嵌合防止部を備えないシールドケースの斜視図である。
【図７】シールドケースに誤嵌合防止部を備えた従来のコネクタの分解斜視図である。
【図８】シールドケースに基板接続部を備えた従来のコネクタの斜視図である。
【発明を実施するための形態】
【００１４】
以下、添付図面を参照しながら本発明の一実施形態に係るシールドケースを詳細に説明する。
図１は本発明の一実施形態に係るシールドケースを備えるレセプタクルコネクタの分解斜視図である。
本実施形態に係るシールドケース１１は、例えばデジタルカメラや携帯電話のレセプタクルコネクタ１３として好適に用いることができる。レセプタクルコネクタ１３は、シールドケース１１と、ハウジング１５と、ロアー端子１７と、アッパー端子１９と、を備えてなる。このレセプタクルコネクタ１３は、図示しない第２シールドケースを有するプラグ（相手側コネクタ）と接続される。レセプタクルコネクタ１３とプラグが接続されると、ロアー端子１７及びアッパー端子１９がプラグの図示しない第２端子と電気的に接続され、これらがＥＭＩ（電磁妨害雑音）対策として、導電性のシールドケース１１と第２シールドケースとによって覆われる。
【００１５】
ハウジング１５は、樹脂材により一体成形されてなり、基部２１から端子台２３が突出される。端子台２３は、上下両面に、アッパー端子１９、ロアー端子１７を整列配置する。レセプタクルコネクタ１３は、シールドケース１１とハウジング１５とによってプラグ嵌合空間２５を形成すると共に、シールドケース１１の端部がプラグ挿入口２７となる。
【００１６】
ハウジング１５の基部２１は、プラグ嵌合空間２５と反対側の面が背面部２９となる。背面部２９は、基部２１にアッパー端子１９、ロアー端子１７を装着するためにプラグ挿入方向と平行に複数形成された端子挿入孔３１を有する。端子挿入孔３１は、背面部２９から端子台２３の方向に貫通形成されており、上下方向（コネクタの厚さ方向）に２段、コネクタの幅方向に等間隔に複数並んでいる。上段の端子挿入孔３１と下段の端子挿入孔３１とは、幅方向に位相がずらされている。アッパー端子１９とロアー端子１７は、位相の異なる端子挿入孔３１毎に、基部２１の背面部２９から端子台２３に向かって挿入される。
【００１７】
平板状のアッパー端子１９及びロアー端子１７は、接触部３３と、接触部３３に繋げて形成され端子挿入孔３１に圧入される圧入部３５と、を有する。圧入部３５の端部からは、図示しない回路基板に向けて略９０度屈曲されたレッグ部３７と、レッグ部３７の端部に形成され回路基板へ半田付けされるリード部３９とが連設される。
【００１８】
背面部２９から挿入されたアッパー端子１９及びロアー端子１７は、圧入部３５が端子挿入孔３１に配置される。端子挿入孔３１に圧入された圧入部３５は、図示しない係止突起を端子挿入孔３１に係止することで、アッパー端子１９及びロアー端子１７をハウジング１５に保持する。
【００１９】
図２は図１に示したシールドケース本体４３の外観斜視図、図３は図１に示したレセプタクルコネクタ１３を下方より見た斜視図である。
シールドケース１１は、シールドケース本体４３と、図１に示す係合支持部材４５と、からなる。シールドケース本体４３は、導電材料である金属板を板金加工して製作され、図２に示す前部をプラグ挿入口２７として開口させた扁平な角筒状に形成される。シールドケース本体４３の本体側板部４７には、前後に長い係止穴４９が形成される。係止穴４９の前方には、係止爪５１が形成される。係止穴４９を挟んで係止爪５１の反対側（後端側）には係止凹部５３が形成される。これら、係止穴４９、係止爪５１、係止凹部５３は、係合支持部材４５をシールドケース本体４３に係合するためのものとなる。本体側板部４７の後部には、固定脚５５が突設される。この固定脚５５は、図示しない回路基板のスルーホールに半田固定される。なお、この固定脚５５は、係合支持部材４５に設けられてもよい。
【００２０】
図４はシールドケース本体４３に係合支持部材４５を係合する係合部の断面図、図５は変形例に係る基板接続部を備えた係合支持部材４５Ａの斜視図である。
図１に示す係合支持部材４５は、導電材料である金属坂を板金加工して製作され、シールドケース本体４３とは別体で形成される。係合支持部材４５は、一対の平行な支持部材側板部６１が、後部連結板６３の両端に連結された平面視略コ字形状に形成される。それぞれの支持部材側板部６１には、コ字状に打ち抜いた支持部材側板部６１の内側に、シールドケース本体４３の係止穴４９を貫通してプラグ嵌合空間２５に挿入された正規プラグに係止する弾性係合板６７が形成される。支持部材側板部６１の弾性係合板６７の前方には、シールドケース本体４３の係止爪５１が係止する係止縁部６９が形成される。弾性係合板６７を挟んで係止縁部６９の反対側（後端側）には、シールドケース本体４３の係止凹部５３に係合する係止凸部７１が形成されている。図４に示すように、係止凸部７１は、打ち出しにより凸状に形成され、打ち抜かれた係止凹部５３に係止される。
【００２１】
係合支持部材４５の支持部材側板部６１には、回路基板に向かって突出する基板接続部５７が垂設される。本実施形態において、基板接続部５７は、枠片状となって支持部材側板部６１の下縁に垂設されている。基板接続部５７は、図示しない回路基板のスルーホールに半田固定される。基板接続部５７は、この他、図５に示す係合支持部材４５ＡのようなＬ字状に折り曲げた脚片７３としてもよい。このような脚片７３とすることで、係合支持部材４５Ａをシールドケース本体４３に係合したシールドケースは、ＳＭＴ（表面実装技術）に好適となる。なお、支持部材側板部６１には、上記したシールドケース本体４３に設けられた固定脚５５が垂設されてもよい。
【００２２】
係合支持部材４５には、非正規プラグがレセプタクルコネクタ１３に誤って挿入されることを防止するための誤嵌合防止部７５が設けられている。誤嵌合防止部７５は、シールドケース本体４３を貫通してプラグ嵌合空間２５に突出する。すなわち、係合支持部材４５は、後部連結板６３から前方に折り返されて前方側に延びるアーム７７が幅方向の両側に設けられている。アーム７７の自由端部６６は、シールドケース本体４３の外部からシールドケース本体４３の上面壁４３ａに穿設された孔８３を介してシールドケース本体４３のプラグ嵌合空間２５に突出する。自由端部６６には、図示しない非正規プラグが挿入されたときに非正規プラグと接するストッパ壁７９が形成される。また、アーム７７には、このストッパ壁７９に並列に一体形成されてプラグ嵌合空間２５に突出し正規プラグが挿入されたときに、この正規プラグと接するプラグ拾い部８１とが設けられている。
【００２３】
次に、上記構成を有するシールドケース１１の作用を説明する。
レセプタクルコネクタ１３は、シールドケース本体４３に係合支持部材４５が固定されてシールドケース１１が組み立てられる。シールドケース本体４３に固定された係合支持部材４５は、係止縁部６９が係止爪５１に係止され、弾性係合板６７が係止穴４９を貫通し、係止凸部７１が係止凹部５３に係止する。
【００２４】
シールドケース１１にハウジング１５を装着したレセプタクルコネクタ１３は、下面を回路基板に接触させて半田付けにより固定される。アッパー端子１９及びロアー端子１７は、半田付けにより基板回路に接続される。シールドケース１１の基板接続部５７及び固定脚５５は、回路基板のスルーホールへ半田付けされると同時に、回路基板のグランドに接続される。
【００２５】
図示しない正規プラグがレセプタクルコネクタ１３のプラグ挿入口２７に挿入されると、正規プラグの第２シールドケースがプラグ拾い部８１に当接する。正規プラグが更に挿入されるに伴いプラグ拾い部８１に挿入方向の力が作用すると、自由端部６６に設けたプラグ拾い部８１及びストッパ壁７９がシールドケース本体４３の孔８３を上に移動してシールドケース１１から外部に後退するように、アーム７７が上方に撓んで弾性変形する。これにより、シールドケース１１はプラグ嵌合空間２５内にストッパ壁７９が突出していない状態となり、正規プラグが更に挿入可能となる。
【００２６】
このように、プラグ挿入口２７の両側に位置する２つのプラグ拾い部８１に接する構成の正規プラグは、適正にレセプタクルコネクタ１３に挿入されて、双方端子が電気的に接続される。
【００２７】
正規プラグとして、例えばＨＤＭＩ  Ｔｙｐｅ−Ｄ（ＨＤＭＩマイクロともいう。）用プラグが採用される。
これに対して、レセプタクルコネクタ１３に対する非正規プラグとしては、例えばＨＤＭＩ用プラグよりも第２シールドケースの横幅が短く、第２シールドケースの横幅がプラグ拾い部８１間の距離よりも短い小型のデジタルカメラ用ＵＳＢプラグ等がある。
【００２８】
レセプタクルコネクタ１３にこのような小型の非正規プラグを挿入しようとしても、非正規プラグの第２シールドケースは正規プラグの第２シールドケースよりも横幅が短いので、第２シールドケースは両方のプラグ拾い部８１に同時に当接することができない。
【００２９】
従って、非正規プラグの第２シールドケースが一方のプラグ拾い部８１に当接しただけでは、一方のストッパ壁７９が孔８３内を上に移動してシールドケース１１の外に後退するだけであり、他方のストッパ壁７９はそのままシールドケース１１のプラグ嵌合空間２５内に突出した状態にある。そのため、非正規プラグを更に挿入しようとしても、第２シールドケースが他方のストッパ壁７９に当接して、それ以上の挿入が阻止され、作業者は誤挿入を認識することができる。
また、非正規プラグが両方のプラグ拾い部８１に当接しない状態で挿入されると、非正規プラグは両方のストッパ壁７９に直接当接して、それ以上の挿入が阻止される。
【００３０】
このように、誤嵌合防止部７５を備えたレセプタクルコネクタ１３では、適正でない非正規プラグがレセプタクルコネクタ１３に完全に挿入されることはないので、非正規プラグとレセプタクルコネクタ１３の損傷及び誤接続を防止することができる。
【００３１】
そして、レセプタクルコネクタ１３に設けられるシールドケース１１では、図３に示すように、基板接続部５７が、シールドケース本体４３と別体の係合支持部材４５に設けられるので、シールドケース本体４３に切り起こし孔が生じない。
また、本実施形態のシールドケース１１は、図５に示したＬ字状に折り曲げた脚片７３を備えた係合支持部材４５Ａや上記係合支持部材４５をシールドケース本体４３に適宜組み合わせることにより、ＳＭＴやスルーホールＤＩＰ（Dual Inline Package）などへのバリエーションにも容易に対応できる。そして、シールドケース本体４３は、共通の金型で製作が可能となる。
【００３２】
また、誤嵌合防止部７５の有無に関わらず、シールドケース本体４３を共通の金型で製作できる。図６（ａ）に示す誤嵌合防止部７５を備えた係合支持部材４５と、図６（ｂ）に示す誤嵌合防止部７５を備えない係合支持部材４５Ｂとを用意することで、誤嵌合防止部７５の有無のバリエーションにも容易に対応できる。
【００３３】
従って、本実施形態に係るシールドケース１１によれば、シールドケース本体４３に切り起こし穴が生じなくなると共に、誤嵌合防止部７５の有無に関わらずシールドケース本体４３を共通の金型で製作できる。
【００３４】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００３５】
１１…シールドケース
１３…レセプタクルコネクタ
２５…プラグ嵌合空間
４３…シールドケース本体
４５…係合支持部材
５７…基板接続部
７５…誤嵌合防止部
【図１】
2013025955.tif 000003
【図２】
2013025955.tif 000004
【図３】
2013025955.tif 000005
【図４】
2013025955.tif 000006
【図５】
2013025955.tif 000007
【図６】
2013025955.tif 000008
【図７】
2013025955.tif 000009
【図８】
2013025955.tif 000010